(57)【要約】【課題】シート状記録媒体のサイズやカール癖、剛性に関わらず、記録媒体受け部材内でシート状記録媒体が折り重なることなく、整列されて収容することができる収容部を有する記録装置を提供する。【解決手段】カール癖を有する記録媒体１０３に記録を行う記録装置は、搬送部１００と、記録部１１０と、記録媒体を排出する排出口１２１と、排出された記録媒体１０３を収容する記録媒体受け部材１２２を有している。さらに記録装置は、記録媒体１０３の先端部が、カール癖によって記録媒体１０３の搬送方向と反対側に向いた状態で、かつ記録媒体受け部材１２２と鋭角に交差するように記録媒体を導く制御部（ガイド１２３）と、切断部（カッター１２４）を有している。さらに、記録媒体１０３のカール癖によって形成された凹曲面に当接可能で、記録媒体１０３の搬送方向に向かって前進することができる当接部（アーム１４１）を有する。【選択図】図１
2014043309.tif 000002
【特許請求の範囲】
【請求項１】
カール癖を有する記録媒体に記録を行う記録装置であって、前記記録媒体を搬送する搬送部と、前記記録媒体へ記録液を吐出するための記録部と、記録液が吐出された前記記録媒体を排出する排出口と、前記排出口の鉛直方向の下方に設けられ、排出された前記記録媒体を収容する記録媒体受け部材と、前記記録媒体の先端部が、カール癖によって前記搬送部による前記記録媒体の搬送方向と反対側に向いた状態で、かつ前記記録媒体受け部材と鋭角に交差するように前記記録媒体を導く制御部と、前記記録媒体を切断する切断部と、前記制御部に導かれながら前記排出口から前記記録媒体受け部材に向かう前記記録媒体のカール癖によって形成された凹曲面に当接可能であり、前記搬送部による前記記録媒体の搬送方向に向かって前進することができる当接部と、を有する記録装置。
【請求項２】
前記当接部は、前記切断部が前記記録媒体を切断した時点から、前記搬送部による前記記録媒体の搬送方向にさらに所定量前進することを特徴とする請求項１に記載の記録装置。
【請求項３】
前記当接部は、前記所定量前進した後に初期位置に後退することを特徴とする請求項２に記載の記録装置。
【請求項４】
前記当接部は、ローラを有したアームであることを特徴とする請求項１から３のいずれか１項に記載の記録装置。
【請求項５】
前記アームは、前記記録媒体が前記排出口から排出されて、その先端部が鉛直方向において前記アームより下方に到達した後に、前記搬送部による前記記録媒体の搬送方向に向かって初期位置から前進することを特徴とする請求項４に記載の記録装置。
【請求項６】
前記アームは、前記記録媒体のカール癖による凹曲面側に当接してから、前記記録媒体の排出速度と同期して前記記録媒体の排出量の少なくとも半分を前進することを特徴とする請求項５に記載の記録装置。
【請求項７】
前記ローラは、前記記録媒体を前記記録媒体受け部材に押し付けながら回転することを特徴とする請求項４から６のいずれか１項に記載の記録装置。
【請求項８】
前記当接部は、前記排出口から排出された前記記録媒体に沿って変形可能なシート部材であることを特徴とする請求項１から３のいずれか１項に記載の記録装置。
【請求項９】
前記シート部材は、前記記録媒体が前記排出口から排出された後に、前記搬送部による前記記録媒体の搬送方向に初期位置から前進することを特徴とする請求項８に記載の記録装置。
【請求項１０】
前記シート部材は、前記排出口と前記制御部との間より送り出され、前記記録媒体のカール癖による凹曲面側に沿いながら前記記録媒体の排出速度と同期して前記記録媒体の排出量と少なくとも同量を送り出されることを特徴とする請求項８に記載の記録装置。
【請求項１１】
カール癖を有する記録媒体を搬送部から記録部へ搬送する工程と、
前記記録部において前記記録媒体に記録液を吐出する工程と、
記録済みの前記記録媒体を排出口から排出する工程と、
排出された前記記録媒体の先端部が前記排出口の鉛直方向の下方に設けられた当接部より下方に到達した後に、前記当接部が初期位置から前記搬送部による前記記録媒体の搬送方向への前進を開始する工程と、
前記記録媒体の先端部が前記当接部の鉛直方向の下方に設けられた記録媒体受け部材に、前記搬送部による前記記録媒体の搬送方向と反対側に向いた状態で鋭角に接する工程と、
前記記録媒体のカール癖により記録面側が凸曲面となる弛みを形成するように前記記録媒体を前記排出口から排出するのと並行して、前記当接部が前記記録媒体のカール癖による前記凹曲面側に当接して前進を続ける工程と、
前記記録媒体を切断部が切断する工程と、
前記当接部が、前記記録媒体が切断された時点から、前記搬送部による前記記録媒体の搬送方向にさらに所定量だけ前進して停止する工程と、を有する記録媒体の収容方法。
【請求項１２】
前記当接部は、ローラを有したアームであることを特徴とする請求項１１に記載の記録媒体の収容方法。
【請求項１３】
前記当接部は、前記排出口から排出された前記記録媒体に沿って変形可能なシート部材であることを特徴とする請求項１１に記載の記録媒体の収容方法。
【発明の詳細な説明】
【技術分野】
【０００１】
本発明は、記録が行われた記録媒体を切断して、排出された記録媒体を収容する収容部を有する記録装置、及び収容方法に関する。
【背景技術】
【０００２】
記録媒体（ロール紙）に記録を行い、カッター（カッターユニット）によって所定の長さに切断し、排出された記録媒体を収容部（ロール紙排紙スタッカ）に収容する記録装置が、特許文献１に開示されている。この収容部は、カール癖を有する記録媒体を収容する記録媒体受け部材（ロール紙受け面）と、記録媒体の先端部（ロール紙先端部）が突き当たる当接部を有している。記録が行われた記録媒体は、排出口から排出され、先端部が当接部に接触したら、カッターによって所定の長さに切断される。記録媒体が切断されると、記録媒体のカール癖による凸曲面が記録媒体受け部材の方向に向くように、接触している当接部を支点として記録媒体が回転し、記録媒体受け部材に収容される。このようにして、記録された記録媒体が、記録媒体受け部材に一定の方向を向いて規則正しく収容される。
【０００３】
記録媒体（ロール状の被記録媒体）に記録を行い、カッター（丸刃ユニット）によって所定の長さに切断し、排出された記録媒体を反転及び折り返して収容部（シート収容装置）に収容する記録装置が、特許文献２に開示されている。この収容部は、記録装置の排出口から延びている給紙ガイドの端部の直下に配置された、記録媒体を収容する記録媒体受け部材（スタック部材）と、記録媒体を反転及び折り返すための反転アシスト部材を有している。記録が行われると記録媒体は、排出口から排出され、排紙ガイドを端部に向かって滑り、先端部から直下の記録媒体受け部材に収容される。このとき記録媒体の先端部の記録が完了すると、記録媒体が下方の記録媒体受け部材に向かって垂れ下がった状態で、反転アシスト部材の先端が排紙ガイドの端部と記録媒体受け部材の間において記録媒体の非記録面に当接する。そして反転アシスト部材が記録媒体を排出口からの排出方向に沿って押圧することにより記録媒体は排紙ガイドの端部と記録媒体受け部材の上端との間で排出方面の下流側に凸に湾曲した状態になる。この状態で、記録媒体がカッターによって所定の長さに切断されると、記録媒体受け部材の上端を中心として記録媒体の記録媒体受け部材の内部に侵入していない部分が反転し、折り返される。こうして、記録済み記録媒体は、一部が記録媒体受け部材内に収容され、残りの部分が記録媒体受け部材の外側に垂れ下がった状態で保持される。
【０００４】
記録媒体（シート）に記録を行い、カッターによって所定の長さに切断し、排出された記録媒体を反転及び折り返して収容部（シート収容装置）に収容するもう一つの記録装置が、特許文献３に開示されている。この収容部は、突き当て部材と係止部材が設けられたガイドストッパと、そのガイドストッパを内包している記録媒体を収容する記録媒体受け部材（バスケット）を有している。記録が行われると記録媒体は、排出口から記録媒体受け部材に排出され、記録媒体の先端部が記録媒体受け部材内に位置するガイドストッパの突き当て部材に突き当たる。すると、記録媒体の、記録媒体受け部材の外側の部分は、搬送方向への移動慣性力によって、係止部材より搬送方向の下流側に凸に湾曲するように弛む。記録媒体に弛みが形成された状態で、記録媒体がカッターによって切断されると同時に、係止部材を中心として記録媒体が反転し、折り返される。こうして、記録済み記録媒体は、一部が記録媒体受け部材内に収容され、残りの部分が記録媒体受け部材の外側に垂れ下がった状態で保持される。
【先行技術文献】
【特許文献】
【０００５】
【特許文献１】特開２００３−９５５１１号公報
【特許文献２】特開２００６−１６８８９８号公報
【特許文献３】特開２００７−１４５４５９号公報
【発明の概要】
【発明が解決しようとする課題】
【０００６】
特許文献１に開示された発明では、当接部を支点として記録媒体を回転させて、記録媒体受け部材へ記録媒体を収容しているが、記録の内容によって記録媒体の重さや長さが変わる。そのため、記録媒体の重さが重かったり、長さが長いと、記録媒体の先端部が当接部に突き当たっても回転せずに、そのまま記録媒体受け部材へと収容されてしまうことがある。または、記録媒体の先端部が当接部に突き当たらないで、排出されてそのまま記録媒体受け部材へと収容されてしまうことがある。記録媒体が回転せずに収容されると、記録媒体受け部材に沿って記録媒体が収容されず、記録媒体受け部材内で折り重なってしまうことで、記録媒体に折り目がついてしまうという課題があった。さらには、記録媒体受け部材に沿って記録媒体が収容されないため、記録媒体受け部材内で記録媒体が整列されて収容されないという課題があった。
【０００７】
特許文献２に開示された発明では、反転アシスト部材によって記録媒体を反転させているが、カール癖が強く、剛性の高い記録媒体の場合には、反転アシスト部材の押す力では記録媒体を反転させることができないことがあった。すなわち、反転アシスト部材で記録媒体を押しつけても、カール癖と記録媒体の剛性が高いと、記録媒体受け部材の上端を中心に反転せず、記録媒体が折り返されずにそのまま記録媒体受け部材に収容されてしまう。記録媒体が折り返されずに収容されると、記録媒体受け部材の下端で複数の記録媒体がカールしたまま折り重なることで、記録媒体に折り目がついてしまうという課題があった。また、記録媒体受け部材の下端に複数の記録媒体が折り重なってしまうため、記録媒体受け部材内で記録媒体が整列されて収容されないという課題があった。
【０００８】
特許文献３に開示された発明では、記録媒体のサイズに合わせて突き当て部材の位置を調整しているため、指定のサイズ以外の記録媒体を排出すると、係止部材より搬送方向の下流に弛みを形成することができない。弛みを形成できないと、係止部材を中心として記録媒体を反転させることができず、記録媒体が記録媒体受け部材の下端で折り重なって収容されるという課題と、係止部材を乗り越えて記録媒体受け部材の外に記録媒体全体が落下してしまうという課題があった。特に小さいサイズの記録媒体は、十分な弛みを形成できる長さを有していない。そのため、無理に弛みを形成させると記録媒体受け部材に排出された記録媒体の長さより弛みが長くなり、バランスが崩れて係止部材を乗り越えて記録媒体受け部材の外に落下しやすい。
【０００９】
さらに、特許文献２及び３に開示された発明では、反転させた記録媒体を記録媒体受け部材の上端（係止部材）で折り返した状態で保持するためには、記録媒体の中心で折り返さなければならない。つまり、記録媒体の中心を折り返さなければ、記録媒体受け部材の内部に収容された部分の長さと記録媒体受け部材の外側に位置する部分の長さのバランスが崩れ、長さが長い方へ記録媒体がずれ落ちてしまう。これにより記録媒体が記録媒体受け部材の上端で折り返された状態で保持されなくなってしまう。
【００１０】
そこで本発明の目的は、前記した問題を解決して、シート状記録媒体のサイズやカール癖、剛性に関わらず、記録媒体受け部材内でシート状記録媒体が折り重なることなく、整列させて収容することができる収容部を有する記録装置を提供することにある。
【課題を解決するための手段】
【００１１】
前記した目的を達成するために、本発明は、カール癖を有する記録媒体に記録を行う記録装置であって、記録媒体を搬送する搬送部と、記録媒体へ記録液を吐出するための記録部と、記録液が吐出された記録媒体を排出する排出口と、排出口の鉛直方向の下方に設けられ、排出された記録媒体を収容する記録媒体受け部材と、記録媒体の先端部が、カール癖によって記録媒体の搬送方向と反対側に向いた状態で、かつ記録媒体受け部材と鋭角に交差するように記録媒体を導く制御部と、記録媒体を切断する切断部と、制御部に導かれながら排出口から記録媒体受け部材に向かう記録媒体のカール癖によって形成された凹曲面に当接可能であり、搬送部による記録媒体の搬送方向に向かって前進することができる当接部と、を有する。
【発明の効果】
【００１２】
本発明によれば、排出される記録媒体の先端を記録媒体受け部材に鋭角に接触させて、記録媒体のカール癖による凸曲面を利用して弛みを形成することで、排出される記録媒体の記録面はすべて同一の方向を向いて記録媒体受け部材に収容される。さらに、弛みが形成された状態で記録媒体を切断すると、前進している当接部が記録媒体を押すことで弛みが解消し、記録媒体受け部材に記録媒体が折り重ならずに収容されるため、複数の記録媒体が排出されても折り目がつくことがない。また、記録媒体のサイズが大きくても小さくても、弛みを形成して当接部で押すことができるため、同様の効果を得ることができる。
【００１３】
一方で、記録媒体のカール癖が強い場合や、剛性が高い場合においても、切断された記録媒体を、当接部が前進して記録媒体を伸ばすように弛みを解消させるので、記録媒体が伸長された状態で記録媒体受け部材に収容される。これによって、カール癖を有したまま記録媒体受け部材に収容されることはないので、記録媒体受け部材で記録媒体が折り重なることがない。
【００１４】
従って、記録媒体のサイズやカール癖、剛性に関わらず、記録媒体受け部材で記録媒体が折り重ならず、整列された状態に記録された記録媒体を記録媒体受け部材に排出することができる。
【図面の簡単な説明】
【００１５】
【図１】（ａ）〜（ｄ）は、本発明の第１の実施形態における、記録が行われて排出口から排出された記録媒体が記録媒体受け部材に収容される工程を示す側面図である。
【図２】本発明の第１の実施形態の変形例を示す側面図である。
【図３】（ａ）〜（ｄ）は、本発明の第２の実施形態における、記録媒体に記録が行われて排出口から排出された記録媒体が記録媒体受け部材に収容される工程を示す側面図である。
【図４】図３（ａ）のＡ部の詳細の一例を示す拡大図である。
【図５】本発明の第２の実施形態の変形例を示す側面図である。
【発明を実施するための形態】
【００１６】
以下、発明の実施の形態について図面を参照して説明する。
【００１７】
（第１の実施形態）
図１（ａ）は、本発明の第１の実施形態における収容部を備えた記録装置を示した側面図である。
【００１８】
記録装置は、記録が行われる記録媒体を供給する搬送部１００と、記録媒体に記録を行う記録部１１０と、記録されて排出された記録媒体を収容する収容部１２０から構成されている。搬送部１００は、紙管１０１に記録媒体１０３を何層にもロール状に巻きつけたロール１０２を有している。記録部１１０は、記録媒体１０３の記録面に記録液であるインクを吐出する記録ヘッド１１４と、記録ヘッド１１４に対向し、記録媒体１０３を下から支えるプラテン１１３を有している。さらにこの記録部は、搬送部１００から供給される記録媒体１０３を、プラテン１１３と記録ヘッド１１４の間に挟んで供給するための搬送ローラ１１１とピンチローラ１１２を有している。収容部１２０は、搬送部１００から記録媒体１０３が搬送される搬送方向Ｘの最も下流側に位置し、記録済み記録媒体１３０が排出される排出口１２１と、排出口１２１から排出された記録済み記録媒体１３０を収容する記録媒体受け部材１２２を有している。この記録媒体受け部材１２２は、搬送部１００による記録媒体１０３の搬送方向Ｘと同じ方向に延びた形状を有し、鉛直方向の下方に排出口１２１と所定の間隔を有した位置に設けられている。この収容部１２０は、排出口１２１から鉛直方向の下方に隣接する位置にあり、排出された記録済み記録媒体１３０を記録媒体受け部材１２２の方向へ誘導する制御部であるガイド１２３を有している。さらに収容部１２０は、プラテン１１３と排出口１２１の間に位置して記録媒体１０３を切断するカッター１２４を有している。また、収容部１２０は、不図示の駆動手段によって記録媒体受け部材１２２と側面からみて平行な方向に突き出すことができるように構成されており、記録済み記録媒体１３０に当接する当接部であるアーム１４１を有している。記録媒体１０３は、ロール１０２を形成している状態で保管されているため、カール癖を有している。本実施形態では、記録媒体１０３が、記録ヘッド１１４に対向する面側が凸曲面状に、プラテン１１３に対向する面側が凹曲面状になるようなカール癖を有している。尚、記録媒体１０３には、安価に入手可能な普通紙全般やコート紙薄手系が用いられる。
【００１９】
図１（ｂ）〜（ｄ）に示すように、アーム１４１は、先端に記録済み記録媒体１３０のカール癖による凹曲面側と当接可能な当接ローラ１４２を有し、排出口１２１と記録媒体受け部材１２２との間の初期位置に位置している。さらに、このアーム１４１は、初期位置では当接ローラ１４２が排出された記録済み記録媒体１３０と接触しない。
【００２０】
以上に説明した構成の収容部を備えた記録装置によって、記録され排出された記録媒体を収容する方法を説明する。
【００２１】
記録装置は記録データを受け取ると、不図示のロール回転モータが作動してロール１０２を回転させて、記録データに示されたサイズの量の記録媒体１０３を搬送部１００から記録部１１０へと供給する。記録データを受け取り、ロール１０２が回転すると同時に、記録部１１０の搬送ローラ１１１とピンチローラ１１２が、不図示の回転モータによって回転し、搬送部１００から供給された記録媒体１０３を挟持してプラテン１１３と記録ヘッド１１４の間へ供給する。記録ヘッド１１４は、記録媒体１０３がプラテン１１３と記録ヘッド１１４の間に供給されると、記録ヘッド１１４をガイドする不図示のガイドレールに沿って往復運動を行いながら、記録データの内容に従ってインクを記録媒体１０３の記録面へ吐出する。図１（ａ）に示すように、記録ヘッド１１４からインクを記録面に吐出された記録済み記録媒体１３０は、記録部１１０から収容部１２０へ供給され、排出口１２１から排出される。
【００２２】
排出口１２１から排出された記録済み記録媒体１３０は、排出口１２１から鉛直方向の下方に隣接して設けられているガイド１２３に沿うようにして排出されていく。このとき、記録済み記録媒体１３０は、図１（ａ）に示すように、ロール１０２に巻かれていたために記録面側が凸曲面となるカール癖を有している。そのため、記録済み記録媒体１３０の先端部は、鉛直方向の下方に向き、排出口１２１から鉛直方向の下方に配置された記録媒体受け部材１２２に向かって排出される。さらに、カール癖によって記録済み記録媒体１３０の先端部が記録媒体受け部材１２２と、搬送部１００による記録媒体１０３の搬送方向Ｘと反対側に向かって進み、記録媒体受け部材１２２と鋭角αで交差するように接する。記録済み記録媒体１３０の先端部は、記録媒体受け部材１２２の上面に垂直に突き当たるのではなく、前記したように記録媒体受け部材１２２上で搬送部１００による記録媒体１０３の搬送方向Ｘの反対側を向いて鋭角αで突き当たる。記録済み記録媒体１３０が排出口１２１から順次排出されるにつれて記録済み記録媒体１３０の先端部は、鋭角αの頂点に向かって、すなわち記録媒体受け部材１２２の排出口１２１側（搬送部１００による搬送方向Ｘと反対側）に向かって滑る。その後に、記録済み記録媒体１３０の先端部が、記録媒体受け部材１２２の上面にほぼ平行な姿勢に移行する。すると、記録済み記録媒体１３０と記録媒体受け部材１２２の上面との接触面積が大きくなり、両者の間の摩擦が大きくなるので記録済み記録媒体１３０の先端部の滑りは停止する。その後も、図１（ｂ）に示すように、記録済み記録媒体１３０の後端部は引き続き排出口１２１から排出されるため、記録済み記録媒体１３０は弛み１３２を形成する。
【００２３】
記録済み記録媒体１３０の先端部が、鉛直方向においてアーム１４１より下方に到達した後に、当接ローラ１４２を有するアーム１４１が、搬送部１００による記録媒体１０３の搬送方向Ｘと同じ方向に前進を開始する。前進したアーム１４１は、先端にある当接ローラ１４２が記録済み記録媒体１３０のカール癖による凹曲面側に当接してガイドすることによって、前記した記録済み記録媒体１３０の弛み１３２の発生を補助する。そして当接ローラ１４２は、記録済み記録媒体１３０のカール癖による凹曲面側に当接することで、弛み１３２の最適な曲率を維持するように作用している。尚、アーム１４１が記録済み記録媒体１３０のカール癖による凹曲面側を押し過ぎてしまうと、記録済み記録媒体１３０の先端部の記録媒体受け部材１２２上の位置が搬送部１００による記録媒体１０３の搬送方向Ｘにずれてしまう。記録済み記録媒体１３０の先端部の位置がずれてしまうと、記録媒体１０３が切断される際に、記録済み記録媒体１３０の後端部から弛み１３２までの距離に対して記録済み記録媒体１３０の先端部から弛み１３２までの距離が短くなってしまう。すると、アーム１４１と記録媒体受け部材１２２との間の距離が短くなり、記録済み記録媒体１３０が有するカール癖が助長されて、筒状に丸まり易くなってしまう。そのため、アーム１４１の前進速度は記録済み記録媒体１３０の排出速度と同期して、記録済み記録媒体１３０の先端部の記録媒体受け部材１２２上の位置がずれないように設定されている。
【００２４】
また、アーム１４１が極端に記録媒体受け部材１２２に近い位置に設けられていると記録済み記録媒体１３０の先端部に当接して位置がずれてしまうため、アーム１４１の配置位置は排出口１２１と記録媒体受け部材１２２の間の間隔の中間点が好ましい。このとき、弛み１３２は記録済み記録媒体１３０が約１８０°折り返されるように形成されているため、弛み１３２の記録媒体１０３の搬送方向最端部の移動量は、排出口１２１からの記録済み記録媒体１３０の排出量に対して約半分となる。従って、アーム１４１は、弛み１３２の記録媒体１０３の搬送方向最端部の移動量が排出量の約半分になるように維持しながら、記録済み記録媒体１３０の排出速度と同期して前進している。
【００２５】
図１（ｃ）に示すように、記録媒体１０３への記録が完了すると、切断部として設けられているカッター１２４によって、記録媒体１０３が切断される。切断後の記録済み記録媒体１３０の後端部は、ロール１０２から繋がっている部分が分断されたため、支えられていた力を失う。記録済み記録媒体１３０の後端を支えていた力が失われると、鉛直方向の下方に記録済み記録媒体１３０の後端が落下する。このとき、本実施形態では、当接ローラ１４２が記録済み記録媒体１３０をカール癖による凹曲面側から支えていることで折り潰れを抑制し、アーム１４１が記録済み記録媒体１３０を抑えることで、カール癖によって筒状に丸まることを抑制している。すなわち、たとえ高温高湿環境下であったり、写真画像のようにインクの吐出量が多い記録済み記録媒体１３０であったとしても、記録済み記録媒体１３０が剛性低下を起こし、記録済み記録媒体１３０が弛み１３２を支点として折り潰れやすくなることはない。また、低温低湿環境下であったり、文字画像のようにインクの吐出量が少ない記録済み記録媒体１３０である場合に、記録済み記録媒体１３０のカール癖が助長し、記録済み記録媒体１３０が筒状に丸まり易くなることもない。
【００２６】
図１（ｄ）に示すように、記録媒体１０３が切断された時点から、アーム１４１が搬送部１００による記録媒体１０３の搬送方向Ｘに所定量前進し、記録済み記録媒体１３０が記録媒体受け部材１２２に収容される。本実施形態では、アーム１４１の先端が当接ローラ１４２で構成されているため、記録済み記録媒体１３０のカール癖による凹曲面側と当接ローラ１４２との間の摩擦力は抑制される。そのため、記録媒体受け部材１２２上の記録済み記録媒体１３０の先端部がずれるおそれがない。すなわち、アーム１４１が前進したときに記録媒体受け部材１２２上の記録済み記録媒体１３０の先端部の位置がずれることはなく、記録済み記録媒体１３０全体が前進してしまうおそれはない。従って、記録済み記録媒体１３０の後端部のみがアーム１４１によって押されて、記録済み記録媒体１３０の全面が記録媒体受け部材１２２に収容される。記録済み記録媒体１３０が記録媒体受け部材１２２に収容されると、アーム１４１は前進を停止して初期位置に後退する。
【００２７】
以上のように、アーム１４１が記録済み記録媒体１３０を一枚ずつ記録媒体受け部材１２２に展開して収容するので、様々なサイズや剛性の、カール癖を有する記録媒体であっても記録媒体受け部材１２２に整列されて記録媒体が排出される。
【００２８】
図２は、本発明の第１の実施形態の変形例を示す側面図である。
【００２９】
本変形例の構成は、図１（ａ）に示す構成と比較して、アーム１４１の先端に設けられている当接ローラ１４２の大きさが異なっている。当接ローラ１４２は、記録媒体受け部材１２２に当接する大きさを有しており、記録済み記録媒体１３０を記録媒体受け部材１２２に押し付けるように構成されている。ただし、当接ローラ１４２の大きさは、記録済み記録媒体１３０の記録面の記録像を、記録媒体受け部材１２２に押し付けることによって損なうことがないように設計されている。
【００３０】
記録済み記録媒体１３０が排出されると、当接ローラ１４２が記録済み記録媒体１３０の先端部を記録媒体受け部材１２２に押し付けて回転しながら、アーム１４１が前進する。アーム１４１は、記録済み記録媒体１３０が形成する弛み１３２において、記録済み記録媒体１３０のカール癖による凹曲面側と当接ローラ１４２とが接触するように前進している。
【００３１】
弛み１３２においては、当接ローラ１４２が大きいため弛み１３２と当接ローラ１４２の接触面積が広く、当接ローラ１４２によって記録済み記録媒体１３０がしっかりと支持されている。当接ローラ１４２が記録済み記録媒体１３０を支持していることで、弛み１３２から排出口１２１の間の記録済み記録媒体１３０にテンションがかかり、排出された記録済み記録媒体１３０に残るカール癖がテンションによって伸ばされることで解消されやすくなる。同様に、記録済み記録媒体１３０が当接ローラ１４２によって記録媒体受け部材１２２に押し付けられているため、記録済み記録媒体１３０のカール癖が解消されやすくなる。また、当接ローラ１４２が記録媒体受け部材１２２と当接しているため、アーム１４１が両端で支持されることになり、アーム１４１に高い剛性を求める必要がなくなる。
【００３２】
（第２の実施形態）
図３（ａ）は、本発明の第２の実施形態における収容部を備えた記録装置を示した側面図である。
【００３３】
記録装置は、第１の実施形態と同様に、搬送部１００と、記録部１１０と、収容部１２０から構成されている。収容部１２０は、記録済み記録媒体１３０の記録面のカール癖による凹曲面側に当接可能な当接部であるシート部材２４５を有している。それ以外の構成については第１の実施形態と同じであるため省略する。
【００３４】
シート部材２４５は、記録媒体１０３の記録や切断に影響を及ぼさず、記録済み記録媒体１３０が排出口１２１から排出されたらすぐにカール癖による凹曲面側と当接することができるよう構成されている。本実施形態では、図４に示すように、一例としてシート部材２４５が排出口１２１とガイド１２３の間からシート部材前進駆動部２４６によって送り出されるように構成されている。また、このシート部材２４５は、記録済み記録媒体１３０の形状に沿いながら前進するので、適切な柔軟性と弾力性を備えている必要があるため、ポリプロピレンやナイロン等の適度に変形可能なフィルムのような素材が用いられる。シート部材２４５は一旦送り出した後に引き戻すことはせずに、切除して消耗品として扱ってもよい。
【００３５】
以上に説明した構成の収容部を備えた記録装置によって、記録され排出された記録媒体を収容する方法を説明する。
【００３６】
図３（ａ）に示すように、第１の実施形態と同様の方法で記録媒体１０３に記録が行われると、記録済み記録媒体１３０は排出口１２１から鉛直方向の下方に隣接して設けられているガイド１２３に沿うようにして排出されていく。記録済み記録媒体１３０が排出口１２１から排出されると同時に、シート部材前進駆動部２４６によってシート部材２４５が送り出されるように作動し、シート部材２４５が記録済み記録媒体１３０のカール癖による凹曲面側に沿いながら送り出される。シート部材２４５は、記録済み記録媒体１３０が収容されるまで記録済み記録媒体１３０のカール癖による凹曲面側に当接しているので、シート部材２４５の前進速度は、記録済み記録媒体１３０の排出速度と同期している。
【００３７】
このとき、記録済み記録媒体１３０はロール１０２に巻かれているため、記録面側が凸曲面となるカール癖を有している。そのため、記録済み記録媒体１３０の先端部は鉛直方向の下方に向き、排出口１２１から鉛直方向の下方に配置された記録媒体受け部材１２２に向かって排出される。さらに、カール癖によって記録済み記録媒体１３０の先端部は記録媒体受け部材１２２と、搬送部１００による記録媒体１０３の搬送方向Ｘと反対側に向かって進み、記録媒体受け部材１２２と鋭角αで交差するように接する。記録済み記録媒体１３０の先端部は、記録媒体受け部材１２２の上面に垂直に突き当たるのではなく、前記したように記録媒体受け部材１２２上で搬送部１００による記録媒体１０３の搬送方向Ｘの反対側を向いて鋭角αで突き当たる。記録済み記録媒体１３０が排出口１２１から順次排出されるにつれて記録済み記録媒体１３０の先端部は、鋭角αの頂点に向かって、すなわち記録媒体受け部材１２２の排出口１２１側（搬送部１００による搬送方向Ｘと反対側）に向かって滑る。その後に、記録済み記録媒体１３０の先端部が、記録媒体受け部材１２２の上面にほぼ平行な姿勢に移行する。すると、記録済み記録媒体１３０と記録媒体受け部材１２２の上面との接触面積が大きくなり、両者の間の摩擦が大きくなるので記録済み記録媒体１３０の先端部の滑りは停止する。その後も、図３（ｂ）に示すように、記録済み記録媒体１３０の後端部は引き続き排出口１２１から排出されるため、記録済み記録媒体１３０は弛み１３２を形成する。
【００３８】
しかしながら、排出された記録済み記録媒体１３０は、低温低湿環境下や、ロール１０２に巻かれているために、記録面が凸となる強いカール癖を有している場合がある。このとき、本実施形態では、記録済み記録媒体１３０が排出口１２１から排出されると同時に、シート部材２４５が記録済み記録媒体１３０のカール癖による凹曲面側に当接して支持する。そのため、強いカール癖によって記録済み記録媒体１３０が筒状に丸まることを抑制している。すなわち、記録済み記録媒体１３０が強いカール癖を有していても、排出口１２１から排出された記録済み記録媒体１３０の先端部が、記録媒体受け部材１２２に接する前に筒状に丸まり、記録媒体受け部材１２２上に接触しなくなってしまうことがない。
【００３９】
図３（ｂ）に示すように、記録済み記録媒体１３０の後端部は引き続き排出口１２１から排出されているため、記録済み記録媒体１３０とシート部材２４５は弛み１３２を形成する。これと並行して、シート部材２４５が記録済み記録媒体１３０のカール癖による凹曲面側から当接することで、弛み１３２の最適な曲率を維持するように作用している。前述したように、シート部材２４５は、記録済み記録媒体１３０と同期した速度で前進しているため、記録済み記録媒体１３０の排出量と同量排出されている。
【００４０】
図３（ｃ）に示すように、記録媒体１０３への記録が完了すると、切断部として設けられているカッター１２４によって、記録媒体１０３が切断される。切断後の記録済み記録媒体１３０の後端部は、ロール１０２から繋がっている部分が分断されたため、支えられていた力を失う。記録済み記録媒体１３０の後端を支えていた力が失われると、鉛直方向の下方に記録済み記録媒体１３０の後端が落下する。このとき、本実施形態では、シート部材２４５が記録済み記録媒体１３０をカール癖による凹曲面側から支えていることで、記録済み記録媒体１３０の折り潰れを抑制し、カール癖によって筒状に丸まることを抑制している。すなわち、たとえ高温高湿環境下であったり、写真画像のようにインクの吐出量が多い記録済み記録媒体１３０であったとしても、記録済み記録媒体１３０が剛性低下を起こし、記録済み記録媒体１３０が弛み１３２を支点として折り潰れやすくなることはない。また、低温低湿環境下であったり、文字画像のようにインクの吐出量が少ない記録済み記録媒体１３０である場合に、記録済み記録媒体１３０のカール癖が助長し、記録済み記録媒体１３０が筒状に丸まり易くなることもない。
【００４１】
図３（ｄ）に示すように、記録媒体１０３が切断された時点から、シート部材２４５が搬送部１００による記録媒体１０３の搬送方向Ｘに所定量前進して弛み１３２を解消し、記録済み記録媒体１３０が記録媒体受け部材１２２に収容される。記録済み記録媒体１３０が記録媒体受け部材１２２に収容されると、シート部材２４５は前進を停止して初期位置に後退する。
【００４２】
以上のように、シート部材２４５が、記録済み記録媒体１３０のカール癖による凹曲面側を排出から収容まで支持しているため、様々なサイズや剛性の、カール癖を有する記録媒体であっても記録媒体受け部材１２２に整列されて記録媒体が排出される。
【００４３】
図５は、本発明の第２の実施形態の変形例を示す側面図である。
【００４４】
本変形例の構成は、図３（ａ）に示す構成と比較して、記録媒体受け部材１２２が側面からみて水平方向と角度を持って交差する方向に形成されている。具体的には、記録媒体受け部材１２２の記録媒体と接続している後端部１２２ａから、記録媒体受け部材の自由端部１２２ｂに向けて上り勾配になるように、記録媒体受け部材１２２は構成されている。記録媒体受け部材１２２がこのように構成されていることで、記録媒体受け部材１２２の自由端部１２２ｂと地面との距離が増加し、記録済み記録媒体１３０を自由端部１２２ｂで折り返して垂れ下げるスペースが生まれる。そのため、記録媒体受け部材１２２の搬送部１００による記録媒体１０３の搬送方向Ｘの長さを短くしても記録済み記録媒体１３０が収容されるので、記録装置自体の大きさがコンパクトになる。
【００４５】
尚、本変形例における、側面からみて水平方向と角度を持って交差する方向に形成される記録媒体受け部材１２２は、第１の実施形態の構成に用いられてもよい。
【符号の説明】
【００４６】
１００                  搬送部
１０３                  記録媒体
１１０                  記録部
１２０                  収容部
１２１                  排出口
１２２                  記録媒体受け部材
１２３                  ガイド
１２４                  カッター
１３０                  記録済み記録媒体
１３２                  弛み
１４１                  アーム
１４２                  当接ローラ
２４５                  シート部材
【図１】
2014043309.tif 000003
【図２】
2014043309.tif 000004
【図３】
2014043309.tif 000005
【図４】
2014043309.tif 000006
【図５】
2014043309.tif 000007